(57)【特許請求の範囲】
【請求項１】
ヒンジを軸として開閉されるドアの表裏に当接する一対の当接部材と、前記一対の当接部材を連結するとともに、前記隙間に挿入される連結部材と、前記連結部材を前記隙間に挿入したときに、前記一対の当接部材を前記ドアの表裏に密着させる方向に付勢する付勢手段とを有するドア隙間開閉器具において、
前記当接部材の肉厚と前記連結部材の肉厚との比が１０：１〜１５：１になるように前記当接部材と前記連結部材とを一体に押出成形して、前記当接部材を高倍率発泡の樹脂で形成し、前記連結部材を低倍率発泡の樹脂で形成したこと、
を特徴とするドア隙間閉塞器具。
【請求項２】
前記連結部材を、前記当接部材における高さ方向の途中位置に配置したことを特徴とする請求項１に記載のドア隙間閉塞器具。
【請求項３】
ヒンジを軸として開閉されるドアの表裏に当接する一対の当接部材と、前記一対の当接部材を連結するとともに、前記隙間に挿入される連結部材と、前記連結部材を前記隙間に挿入したときに、前記一対の当接部材を前記ドアの表裏に密着させる方向に付勢する付勢手段とを有するドア隙間開閉器具において、
前記連結部材が、一方向にカールする性質を有するシートの一部であり、前記シートの一端又は両端をカール方向に巻き込んでロール状の当接部を形成したこと、
を特徴とするドア隙間閉塞器具。
【請求項４】
前記シートが、クッション性を有するシートの少なくとも一面にラミネートフィルムを貼着し、このラミネートフィルムにカール処理を施したものであることを特徴とする請求項３に記載のドア隙間閉塞器具。
【発明の詳細な説明】
【技術分野】
【０００１】
本発明は、ヒンジを軸として開閉される開戸形のドアに用いられ、前記ドアを閉じたときにドアの隙間を閉塞させるドア隙間閉塞器具に関する。
【背景技術】
【０００２】
開戸形のドアの隙間を閉塞して室内の暖気又は冷気が逃げないようにし、冷暖房効率を高めようとする装置や器具は、従来より種々のものが市販又は提案されている。
例えば特許文献１のドア用隙間風防装置は、ドアを開けた状態で防風部材がドア側に収容され、ドアを閉じた状態で前記防風部材がドア側から突出するように構成されている。
また、特許文献２には、ドアと床面との隙間が一定でなくとも、ドアを閉じたときにその隙間を確実に閉塞することができるドア用隙間開閉装置が開示されている。
上記特許文献１，２に記載の装置は、構成が複雑で価格も高くなるという問題がある。
【０００３】
構成が簡素なものとしては、例えば特許文献３や特許文献４に記載の閉塞器具等を挙げることができるが、これらも、ドアにボルトやネジ等で取り付けたり、ドアを取り外して加工等する必要があることから、取り付けが面倒であるという問題がある。
【先行技術文献】
【特許文献】
【０００４】
【特許文献１】特開平１１−１５２９６８号公報
【特許文献２】特開２００７−１６５５２号公報
【特許文献３】実開平６−２４１８９号公報
【特許文献４】実開平６−３５５８５号公報
【発明の開示】
【発明が解決しようとする課題】
【０００５】
本発明は上記の問題を解決するためになされたもので、簡単な構成で安価に製造することができるうえ、ドアを取り外すことなく簡単に取り付けることができ、かつ、閉塞効果の高いドア隙間閉塞器具の提供を目的とする。
【課題を解決するための手段】
【０００６】
上記課題を解決するために、請求項１に記載の発明は、ヒンジを軸として開閉されるドアの表裏に当接する一対の当接部材と、前記一対の当接部材を連結するとともに、前記隙間に挿入される連結部材と、前記連結部材を前記隙間に挿入したときに、前記一対の当接部材を前記ドアの表裏に密着させる方向に付勢する付勢手段とを有するドア隙間開閉器具において、前記当接部材の肉厚と前記連結部材の肉厚との比が１０：１〜１５：１になるように前記当接部材と前記連結部材とを一体に押出成形して、前記当接部材を高倍率発泡の樹脂で形成し、前記連結部材を低倍率発泡の樹脂で形成した構成としてある。
【０００７】
付勢手段として機能する前記連結部材段としては、伸縮性を有するものや、当接部材と当接部材とを連結するゴムなどを挙げることができるが、請求項２に記載するように、前記連結部材を前記当接部材における高さ方向の途中位置に配置してもよい。
また、請求項３に記載するように、ヒンジを軸として開閉されるドアの表裏に当接する一対の当接部材と、前記一対の当接部材を連結するとともに、前記隙間に挿入される連結部材と、前記連結部材を前記隙間に挿入したときに、前記一対の当接部材を前記ドアの表裏に密着させる方向に付勢する付勢手段とを有するドア隙間開閉器具において、前記連結部材が、一方向にカールする性質を有するシートの一部であり、前記シートの一端又は両端をカール方向に巻き込んでロール状の当接部を形成したものとしてもよい。請求項４に記載するように、前記シートが、クッション性を有するシートの少なくとも一面にラミネートフィルムを貼着し、このラミネートフィルムにカール処理を施したものであってもよい。
上記構成によれば、ドアと床面又はドアと天井との間に連結部材を挿入することで、ドアの表裏両面に当接部材が密着してドアにドア隙間閉塞器具が取り付けられ、ドアを閉じたときの前記隙間を閉塞して前記隙間を通しての空気の流れを遮断し、室内の冷暖房効果を高めることができる。
また、ドア開閉の際にも、ドア隙間開閉器具がドアから容易に離脱することなく、ドアと一体となって開閉させることができる。
【発明の効果】
【０００８】
本発明のドア隙間閉塞器具は、構成がきわめて簡単であるので安価に製造することができる。また、ドアを筐体から取り外さなくても、ドアを開いた状態で連結部材を隙間に差し込むだけで簡単に装着することができる。さらに、当接部材がドアの表裏両面に密着するので高い閉塞効果を得ることができ、かつ、床面とドアの隙間だけでなく、天井側の隙間の閉塞にも適応が可能である。
【発明を実施するための最良の形態】
【０００９】
以下、本発明の好適な実施形態を、図面を参照しながら詳細に説明する。
［第一の実施形態］
図１は本発明の第一の実施形態にかかるドア隙間閉塞器具の斜視図である。
このドア隙間開閉器具１は、ドアと床面との間の隙間の長さとほぼ同じ長さに形成された一対の当接部材１１，１１と、この一対の当接部材１１，１１を連結する連結部材１２とから形成される。
当接部材１１，１１は、回転力が加わってもドアの表裏両面に密着できるように円柱状に形成するのが好ましい。また、連結部材１２は、ドアと床面との間の隙間に挿入できるように、前記隙間と同じかこれよりも薄肉の膜状に形成するとよい。連結部材１２が肉厚方向に変形できるクッション材を含んでいるような場合は、隙間に挿入できる範囲内で前記隙間より肉厚であってもよい。
当接部材１１，１１に対する連結部材１２の配置位置は、前記隙間に連結部材１２を挿入したときに、当接部材１１，１１をドアの表裏両面に密着させる方向に力が作用する位置を選択する。
【００１０】
すなわち、図２に示すように、連結部材１２に押圧力Ｐ１を付加したときに、連結部材１２が湾曲して当接部材１１，１１を互いに接近させる方向（矢印Ｘの方向）に移動させるように、当接部材１１，１１の高さ方向（図２の上下方向）に対して連結部材１２を途中位置に設ける。
このように、この実施形態では、押圧力Ｐ１の作用によって湾曲した連結部材１２が、一対の当接部材１１，１１をドアの表裏に密着させる方向に付勢するから、連結部材１２が付勢手段を構成する。
【００１１】
当接部材１１，１１と連結部材１２とは軽量で柔らかく断熱性に優れた材料から形成するのが好ましい。当接部材１１，１１としては、例えば綿のような繊維の塊を布帛で包んで形成したもの、樹脂や木材、紙などのチップを袋に中に充填して形成したものを挙げることができるが、発泡樹脂で連結部材１２と当接部材１１，１１とを一体に形成したものが好ましい。
具体的な樹脂材料としては、ポリエチレンやポリプロピレンなどのポリオレフィン樹脂を挙げることができ、これを発泡倍率１０倍〜５０倍程度に発泡させる。適宜に紫外線吸収剤や酸化防止剤、帯電防止剤、着色剤、気泡調整剤、収縮防止剤などを添加してもよい。なお、当接部材１１，１１をクッション性に優れる高倍率発泡で形成するとともに、連結部材１２を強度の高い低倍発泡で形成するのが好ましい。このような倍率分布を有するドア隙間開閉器具１は、当接部材１１，１１の径（肉厚）Ｄに対して連結部材１２の肉厚ｔを十分に小さくし、例えば押出成形法により当接部材１１，１１と連結部材１２とを一体に成形することで、形成することができる。当接部材１１，１１の径（肉厚）Ｄと連結部材１２の肉厚ｔとの比は、１０：１〜１５：１程度とするのが好ましい。
【００１２】
この実施形態においては、連結部材１２の幅Ｓ（図１，２参照）を適切な寸法に選択することで、図３（ａ）に示すように、ドアＤと床面Ｆとの隙間に連結部材１２を挿入したときに当接部材１１，１１をドアＤの表裏に密着させることができ、ドアＤと床面Ｆとの間の隙間を効果的に閉塞することができる。また、ドアＤを開閉させても、ドア隙間開閉器具１がドアから容易に離脱することなく、ドアＤと一体になって移動する。
なお、特に図示はしないが、この作用は、天井面とドアＤとの間の隙間についても同様である。また、図３（ｂ）のように、天井部分ＣとドアＤとの間にドア上部部材Ｄａが敷設されている場合においても、当接部材１１，１１が自重によりドアＤの表裏両面に垂れ下がると同時に、連結部材１２の中央を押し上げて、上部部材ＤａとドアＤとの間の隙間を閉塞させる。
【００１３】
［第二の実施形態］
次に本発明の第二の実施形態について、図４〜図６を参照しながら説明する。
この実施形態においてドア隙間閉塞器具２は、一枚の樹脂シートから形成される。当該樹脂シートの両端を巻いて一対の当接部材２１，２１が形成され、当接部材２１，２１の間の樹脂シートが連結部材２２として構成される。
樹脂シートは、常に一方向にカールするように予め形成されていて、その両端を巻くことで、図５に示すように、当接部材２１，２１は巻いた状態を維持しようとする方向（図の符号Ｙで示す方向）に力が作用する。
【００１４】
すなわち、この実施形態ではカール状の樹脂シートが付勢手段を構成し、この付勢力が、当接部材２１，２１を互いに接近させる方向に作用する。そして、ドアＤと床面Ｆとの間の隙間に連結部材２２を挿入することで、図６（ａ）に示すように当接部材２１，２１がドアＤの両面に密着し、前記隙間を閉塞させる。
このような樹脂シートとしては、ポリエチレンやポリプロピレンなどのポリオレフィン樹脂を発泡倍率１０倍〜５０倍程度に発泡させた発泡シートの一方の表面を、ポリエチレンやポリプロピレンなどのポリオレフィン樹脂のフィルムでラミネートしたものを挙げることができる。前記ポリオレフィン樹脂には、適宜に紫外線吸収剤や酸化防止剤、帯電防止剤、着色剤、気泡調整剤、収縮防止剤などを添加してもよい。
このような樹脂シートは、ラミネートフィルムを加熱することで一方向にカールする性質が容易に発現する。そして、発泡シート及びラミネートフィルムの材質や肉厚、加熱処理の条件（温度や時間）などを調整することで、硬さやカールしようとする力の調整が容易に行え、破れにくいという利点を有する。
【００１５】
この実施形態のドア隙間閉塞器具２の作用は、第一の実施形態のドア隙間閉塞器具１と同じである。また、天井面とドアとの隙間についても同様である。さらに、図６（ｂ）に示すように、天井面Ｃに敷設されたドア上部部材ＤａとドアＤとの隙間に連結部材２２を挿入することで、先の実施形態と同様にその隙間を閉塞させることができる。
【００１６】
［第三の実施形態］
図７は本発明の第三の実施形態にかかるドア隙間閉塞器具の斜視図で、第二の実施形態の変形例である。
この実施形態では、第二の実施形態の樹脂シートと同じ樹脂シートを用い、その一端側に第一の実施形態と同様の当接部材１１を取り付ける。そして、他端側をカール方向に巻いて当接部材２１を形成する。
この実施形態のドア隙間閉塞器具２′においても、カールする性質を有する樹脂シートが付勢手段を構成し、当接部材２１を当接部材１１に接近させる方向に付勢するので、第一及び第二の実施形態のドア隙間閉塞器具１，２と同様に作用する。
【００１７】
本発明の好適な実施形態について説明したが、本発明は上記の説明のものに限られない。
例えば、第一の実施形態において、当接部材１１，１１は円柱状であるとして説明したが、連結部材１２に対して押圧力Ｐ（図２参照）が作用することにより回転力が加わってもドアに対する密着性が損なわれないのであれば、角柱状など円柱状以外の他の形状を選択することも可能である。
また、第一の実施形態において連結部材１２は、当接部材１１，１１の高さ方向（図２の上下方向）に対して途中位置に設けるものとしたが、当接部材１１，１１の高さ方向の下端又は上端であってもよい。
また、第二の実施形態において樹脂シートの比重が小さく、当接部材２１，２１が床面Ｆから浮かび上がってしまうような場合には、例えば、樹脂シートの硬さを調整したり、ロール状に巻いた当接部材２１，２１の中心に重しとなる芯材を挿入すればよい。さらに、上記の説明で樹脂シートは、発泡シートの片面にラミネートフィルムを貼着したものとしたが、発泡シートの両面にラミネートフィルムを貼着し、その一方のみに加熱処理等の処理を施したものとしてもよい。また、一方向にカールする性質を有するものであれば、シートは樹脂シートに限らず金属や紙、繊維等で形成されたシートであってもよい。
なお、第二の実施形態及び第三の実施形態のシートは、強力にカールする性質を利用することで、棒材に巻き付けたり物品に被せたりして、搬送時の保護シートとして利用することも可能である。
【産業上の利用可能性】
【００１８】
本発明のドア隙間閉塞器具は、ヒンジを軸として開閉する開戸形のドアであれば片開き形に限らず両開き形にも適用が可能で、かつ、一般家庭やオフィス、工場などのドアに広範に適用が可能である。
【図面の簡単な説明】
【００１９】
【図１】本発明の第一の実施形態にかかるドア隙間閉塞器具の斜視図である。
【図２】第一の実施形態にかかるドア隙間閉塞器具の作用を説明する図である。
【図３】第一の実施形態のドア隙間閉塞器具を隙間に差し込んだ際の状態を説明する図である。
【図４】本発明の第二の実施形態にかかるドア隙間閉塞器具の斜視図である。
【図５】第二の実施形態にかかるドア隙間閉塞器具の作用を説明する図である。
【図６】第二の実施形態のドア隙間閉塞器具を隙間に差し込んだ際の状態を説明する図である。
【図７】本発明の第三の実施形態にかかるドア隙間閉塞器具の斜視図である。
【符号の説明】
【００２０】
１，２，２′    ドア隙間閉塞器具    
１１，２１      当接部材
１２，２２      連結部材
Ｄ        ドア
Ｄａ      ドア上部部材
Ｆ        床面
Ｃ        天井面
【図１】
0005204918.tif 000002
【図２】
0005204918.tif 000003
【図３】
0005204918.tif 000004
【図４】
0005204918.tif 000005
【図５】
0005204918.tif 000006
【図６】
0005204918.tif 000007
【図７】
0005204918.tif 000008